(57)【特許請求の範囲】
【請求項１】
筐体に設けた四角形状のパネル固定開口部に、前記パネル固定開口部の前記筐体内側に配置された１つ又は複数のインターフェース端子部の周囲を覆うようにしてパネル板を着脱可能に固定するパネル固定構造であって、
前記パネル板は、前記インターフェース端子部の位置、形状に合わせた端子開口部が形成された四角形状のパネル面と、前記パネル面の４辺の縁部に沿って前記パネル固定開口部の挿入方向側に突出し、かつ前記パネル面の４箇所の角部に隙間を設けるようにして形成されたばね性を有する４つの係合突出部とを有し、
前記係合突出部は、前記パネル面の４辺の縁部から前記パネル固定開口部の挿入方向側へ延びる第１壁部と、該第１壁部の先端部が外側に曲げられて前記パネル固定開口部の挿入方向側と逆方向側へ延びる第２壁部と、前記第２壁部の外側表面に該第２壁部の長手方向に沿って複数設けた突起部とを有し、
前記パネル板の前記各係合突出部を前記パネル固定開口部に挿入することにより、前記突起部が前記パネル固定開口部の内壁面に摺接して前記係合突出部が前記パネル固定開口部の内側方向に撓みながら前記パネル固定開口部の挿入方向と逆側の縁部へ達すると、撓んでいた前記係合突出部が復元することにより、前記パネル固定開口部のパネル板挿入側と反対側の縁部近傍に前記突起部が係止されることで、前記パネル板が前記パネル固定開口部に固定され、
前記各係合突起部は、前記パネル面の４箇所の角部でそれぞれ隙間を設けて対向する先端角部を有しており、
前記各係合突出部の前記パネル固定開口部の内側方向への最大撓み量として、前記４箇所の角部で隣接して対向する各先端角部に対して、撓み量が大きい隣接する各先端角部と、前記撓み量が大きい隣接する各先端角部よりも撓み量が小さい隣接する各先端角部とを設定し、
前記撓み量が小さい隣接する各先端角部は、
隣接する一方側の先端角部が他方側の先端角部よりも長く形成され、かつ長くした一方側の先端角部の先端が、該隣接する各先端角部との間の中間に引いた中間線近傍まで延びるように形成されて、前記隣接する各先端角部が前記中間線に対して左右非対称となるように設定され、
前記撓み量が大きい隣接する各先端角部は、
該隣接する各先端角部が略同じ長さに形成され、かつ前記各先端角部の先端と前記中間線との間の隙間が大きくなるように前記各先端角部が短く形成されて、前記隣接する各先端角部が前記中間線に対して左右対称となるように設定されていることを特徴とするパネル固定構造。
【請求項２】
前記突起部は、半球形状部と、該半球形状部を略１／２切り取ってその切り取り面が前記パネル板を挿入したときに前記パネル固定開口部の逆側の縁部に係止する向きに設定される１／４半球形状部とを設定し、
前記撓み量が大きい先端角部の近傍には前記１／４半球形状部を配置し、前記撓み量が小さい先端角部の近傍には前記半球形状部を配置することを特徴とする請求項１に記載のパネル固定構造。
【請求項３】
前記第２壁部の先端側に先端係止部が形成されており、
前記パネル板の前記各係合突出部が前記パネル固定開口部に挿入されて、前記突起部が前記パネル固定開口部のパネル板挿入側と反対側の縁部近傍に係止された位置において、前記パネル固定開口部のパネル板挿入側の縁部近傍に先端係止部が係止され、前記突起部と前記先端係止部とで前記パネル固定開口部の縁部を両面から挟み込むようにして前記パネル板が前記パネル固定開口部に固定されることを特徴とする請求項１又は２に記載のパネル固定構造。
【請求項４】
前記係合突出部の端部側に設けた前記突起部近傍に、前記係合突出部を前記パネル固定開口部のパネル板挿入側に位置するようにして前記係合突出部を前記パネル固定開口部の内側方向に撓ませるための取っ手部を設けたことを特徴とする請求項１乃至３のいずれか一項に記載のパネル固定構造。
【請求項５】
前記係合突出部の端部側に設けた前記突起部近傍に、前記係合突出部を前記パネル固定開口部の内側方向に撓ませるための工具を挿入するための工具挿入溝部を設けたことを特徴とする請求項１乃至３のいずれか一項に記載のパネル固定構造。
【請求項６】
筐体に設けた四角形状のパネル固定開口部に、請求項１乃至５のいずれか一項に記載のパネル固定構造によってパネル板が着脱可能に固定されることを特徴とする情報処理装置
【発明の詳細な説明】
【技術分野】
【０００１】
本発明は、筐体に設けた四角形状のパネル固定開口部に、このパネル固定開口部の筐体内側に配置された１つ又は複数のインターフェース端子部の周囲を覆うようにしてパネル板を着脱可能に固定するパネル固定構造、及び該パネル固定構造によってパネル板が固定される情報処理装置に関する。
【背景技術】
【０００２】
パーソナルコンピュータ（以下、「パソコン」という）の外装ケースとしての筐体の背面側等に形成されたパネル固定開口部内には、外部機器等が電気的に接続される入出力（Ｉ／Ｏ）コネクタが設けられている。そして、前記パネル固定開口部には、入出力コネクタを電気的にシールドするためのパネル板が、該入出力コネクタの周囲を覆うようにして着脱可能に固定されている。
【０００３】
パネル板をパネル固定開口部に着脱可能に固定するためのパネル固定構造としては、例えば、特許文献１のようなパネル固定構造が知られている。前記特許文献１のパネル固定構造では、長方形状のパネル板（特許文献１のシールド部材）の下側の長辺に設けた複数の突起片（特許文献１の従属脚部）をパネル固定開口部（特許文献１のベイ開口）の下面側の縁部近傍に嵌合させ、更に、長方形状のパネル板（特許文献１のシールド部材）の短辺の両側に設けたばね性を有する一対の係合突出部（特許文献１のスプリングタグ部）を撓ませながらパネル固定開口部の両側の縁部に圧入して係合させている。
【発明の概要】
【発明が解決しようとする課題】
【０００４】
ところで、前記特許文献１のようなパネル固定構造では、前記したように、長方形状のパネル板の下側の長辺に設けた突起片をパネル固定開口部の下面側の縁部近傍に嵌合させる作業と、長方形状のパネル板の短辺側の両側に設けたばね性を有する一対の係合突出部をパネル固定開口部の両側縁部に撓ませながら係合させる作業が必要となり、パネル板をパネル固定開口部に固定するときの作業性が悪かった。
【０００５】
そこで、パネル板固定の作業性を向上させるために、従来より、例えば図１９に示すように、パネル面１００ａの４辺の長手方向に沿った縁部（図１９では、隣接する長辺側と短辺側の縁部付近を示している）に、パネル固定開口部への挿入方向側に突出し、先端部が外側に略１８０度曲げられたばね性を有する係合突出部１００ｂ，１００ｃを形成したパネル板１００を用いるパネル固定構造が知られている。なお、各係合突出部１００ｂ，１００ｃの外面側には、その長手方向に沿って半球状の突起部１００ｄが複数設けられており、更に、各係合突出部１００ｂ，１００ｃの突起部１００ｄ側の先端縁部は外側に曲げられて先端係止部１００ｅが形成されている。
【０００６】
そして、図２０（ａ），（ｂ）に示すように、パネル板１００の各係合突出部１００ｂ，１００ｃをパネル固定開口部１０１に挿入することにより、前記突起部１００ｄがパネル固定開口部１０１の内壁面に摺接して各係合突出部１００ｂ，１００ｃがパネル固定開口部１０１の内側方向に撓みながら反対側の内壁面縁部へ達すると、撓んでいた各係合突出部１００ｂ，１００ｃが復元する。これにより、図２０（ｂ）に示すように、先端係止部１００ｅと挿入方向と反対側の内壁面縁部近傍に係止された突起部１００ｄとでパネル固定開口部１００を両面から挟み込むようにして、パネル板１００がパネル固定開口部１０１に固定される。
【０００７】
ところで、隣接する長辺側と短辺側の各係合突出部１００ｂ，１００ｃの角部の間には、各係合突出部１００ｂ，１００ｃを撓ませながらパネル固定開口部１０１へ挿入して係合するときに互いに干渉（接触）しないように、所定幅の隙間が設けられている。
【０００８】
なお、図１９、図２０では、隣接する各係合突出部１００ｂ，１００ｃの角部の間に設けた隙間の形状を概略的に示したが、詳細には、図２１（ａ）に示すように、隣接する各係合突出部１００ｂ，１００ｃの端部において、挿入時にパネル固定開口部３の内壁面角部に係合する各先端角部１００ｆ，１００ｇが、この角部の中間に引いた中間線Ａに対して左右対称で同じ長さになるように、予め所定形状に切り取り加工形成されている。
【０００９】
ところで、パネル板１００が固定されるパネル固定開口部１０１の大きさが小さい場合には、それに応じてパネル板１００全体の大きさも小さくなるので、図２１（ａ）に示した隣接する係合突出部１００ｂ，１００ｃの各先端角部１００ｆ，１００ｇ間の隙間ａもそれに応じてより狭くなる。
【００１０】
このため、図２１（ｂ）に示すように、各係合突出部１００ｂ，１００ｃを撓ませながらパネル固定開口部１０１へ挿入して係合するときに、隣接する各先端角部１００ｆ，１００ｇ間の隙間が、製造時の寸法ばらつき等によって各先端角部１００ｆ，１００ｇの先端角同士が干渉することがある。撓んでいる各先端角部１００ｆ，１００ｇの角同士が干渉すると、各先端角部１００ｆ，１００ｇの接触状態が不安定になり、各係合突出部１００ｂ，１００ｃをパネル固定開口部１０１に挿入し難くなることがある。
【００１１】
パネル固定開口部１０１にパネル板１００が固定されているときに、パネル板１００の係合突出部１００ｂ，１００ｃに対して挿入方向と逆方向側から何らかの外力が作用すると、係合突出部１００ｂ，１００ｃがパネル固定開口部１０１の内側方向へ容易に撓み易くなる。このため、係合突出部１００ｂ，１００ｃが外力の作用によって撓むと、パネル固定開口部１０１の縁部近傍に係止されている半球状の突起部１００ｄの係止状態が容易に解除され、パネル板１００がパネル固定開口部１０１から外れてしまう虞がある。
【００１２】
そこで、本発明は、パネル板の各係合突出部を撓ませながらパネル固定開口部へ挿入して係合するときに、隣接する係合突出部の各係合角部の先端角部の角同士が干渉して不安定な接触状態にならないようにすることができるパネル固定構造及び情報処理装置を提供することを目的とする。
【００１３】
更に、本発明は、パネル板の係合突出部に対して挿入方向と逆方向側から何らかの外力が作用しても、パネル板がパネル固定開口部から外れ難いようにすることができるパネル固定構造及び情報処理装置を提供することを目的とする。
【課題を解決するための手段】
【００１４】
前記目的を達成するために請求項１に記載のパネル固定構造は、筐体に設けた四角形状のパネル固定開口部に、前記パネル固定開口部の前記筐体内側に配置された１つ又は複数のインターフェース端子部の周囲を覆うようにしてパネル板を着脱可能に固定するパネル固定構造であって、前記パネル板は、前記インターフェース端子部の位置、形状に合わせた端子開口部が形成された四角形状のパネル面と、前記パネル面の４辺の縁部に沿って前記パネル固定開口部の挿入方向側に突出し、かつ前記パネル面の４箇所の角部に隙間を設けるようにして形成されたばね性を有する４つの係合突出部とを有し、前記係合突出部は、前記パネル面の４辺の縁部から前記パネル固定開口部の挿入方向側へ延びる第１壁部と、該第１壁部の先端部が外側に曲げられて前記パネル固定開口部の挿入方向側と逆方向側へ延びる第２壁部と、前記第２壁部の外側表面に該第２壁部の長手方向に沿って複数設けた突起部とを有し、前記パネル板の前記各係合突出部を前記パネル固定開口部に挿入することにより、前記突起部が前記パネル固定開口部の内壁面に摺接して前記係合突出部が前記パネル固定開口部の内側方向に撓みながら前記パネル固定開口部の挿入方向と逆側の縁部へ達すると、撓んでいた前記係合突出部が復元することにより、前記パネル固定開口部のパネル板挿入側と反対側の縁部近傍に前記突起部が係止されることで、前記パネル板が前記パネル固定開口部に固定され、前記各係合突起部は、前記パネル面の４箇所の角部でそれぞれ隙間を設けて対向する先端角部を有しており、前記各係合突出部の前記パネル固定開口部の内側方向への最大撓み量として、前記４箇所の角部で隣接して対向する各先端角部に対して、撓み量が大きい隣接する各先端角部と、前記撓み量が大きい隣接する各先端角部よりも撓み量が小さい隣接する各先端角部とを設定し、前記撓み量が小さい隣接する各先端角部は、隣接する一方側の先端角部が他方側の先端角部よりも長く形成され、かつ長くした一方側の先端角部の先端が、該隣接する各先端角部との間の中間に引いた中間線近傍まで延びるように形成されて、前記隣接する各先端角部が前記中間線に対して左右非対称となるように設定され、前記撓み量が大きい隣接する各先端角部は、該隣接する各先端角部が略同じ長さに形成され、かつ前記各先端角部の先端と前記中間線との間の隙間が大きくなるように前記各先端角部が短く形成されて、前記隣接する各先端角部が前記中間線に対して左右対称となるように設定されていることを特徴としている。
【００１６】
請求項２に記載のパネル固定構造は、前記突起部は半球形状部と、該半球形状部を略１／２切り取ってその切り取り面が前記パネル板を挿入したときに前記パネル固定開口部の逆側の縁部に係止する向きに設定される１／４半球形状部とを設定し、前記撓み量が大きい先端角部の近傍には前記１／４半球形状部を配置し、前記撓み量が小さい先端角部の近傍には前記半球形状部を配置することを特徴としている。
【００１７】
請求項３に記載のパネル固定構造は、前記第２壁部の先端側に先端係止部が形成されており、前記パネル板の前記各係合突出部が前記パネル固定開口部に挿入されて、前記突起部が前記パネル固定開口部のパネル板挿入側と反対側の縁部近傍に係止された位置において、前記パネル固定開口部のパネル板挿入側の縁部近傍に先端係止部が係止され、前記突起部と前記先端係止部とで前記パネル固定開口部の縁部を両面から挟み込むようにして前記パネル板が前記パネル固定開口部に固定されることを特徴としている。
【００１８】
請求項４に記載のパネル固定構造は、前記係合突出部の端部側に設けた前記突起部近傍に、前記係合突出部を前記パネル固定開口部のパネル板挿入側に位置するようにして前記係合突出部を前記パネル固定開口部の内側方向に撓ませるための取っ手部を設けたことを特徴としている。
【００１９】
請求項５に記載のパネル固定構造は、前記係合突出部の端部側に設けた前記突起部近傍に、前記係合突出部を前記パネル固定開口部の内側方向に撓ませるための工具を挿入するための工具挿入溝部を設けたことを特徴としている。
【００２０】
請求項６に記載の情報処理装置は、筐体に設けた四角形状のパネル固定開口部に、請求項１乃至５のいずれか一項に記載のパネル固定構造によってパネル板が着脱可能に固定されることを特徴としている。
する情報処理装置
【発明の効果】
【００２１】
請求項１、６に記載の本発明によれば、パネル板の各係合突出部の端部に製造時の寸法ばらつき等があっても、各係合突出部をパネル固定開口部へ挿入して係合するときに、隣接する係合突出部の各先端角部の角同士が干渉することなく安定した接触状態が得られるので、各係合突出部をパネル開口部の所定位置まで良好に挿入することができる。
【００２３】
請求項２に記載の本発明によれば、撓み量が大きい角部近傍に設ける突起部に、半球形状部を１／２にした１／４半球形状部を配置して、１／４半球形状部と反対側の半円底面が先端係止部側に面しているので、パネル板をパネル固定開口部により確実に固定することができる。これにより、パネル板挿入方向と反対方向の外力が作用して係合突出部の端部付近が撓んでも、角部側突起部の半円底面がパネル固定開口部の縁部に面接触で接しているので、係合突出部がパネル固定開口部から外れることを防止することができる。
【００２４】
請求項３に記載の本発明によれば、突起部と先端係止部とでパネル固定開口部の縁部を両面から挟み込むようにしてパネル板をパネル固定開口部に固定することができるので、パネル板をパネル固定開口部に確実に固定することができる。
【００２５】
請求項４に記載の本発明によれば、固定されているパネル板をパネル固定開口部から意図的に取り外す場合に、取っ手部に力を作用させて係合突出部の端部近傍をパネル固定開口部の内側方向に撓ませることで、係合突出部をパネル固定開口部から容易に外すことができる。
【００２６】
請求項５に記載の本発明によれば、固定されているパネル板をパネル固定開口部から意図的に取り外す場合に、工具挿入溝部に取外し工具を挿入し、取外し工具の先端が当接するパネル固定開口部の縁部付近の面を支点にして取外し工具に力を作用させて、係合突出部の端部近傍をパネル固定開口部の内側方向に撓ませることで、係合突出部をパネル固定開口部から容易に外すことができる。
【図面の簡単な説明】
【００２７】
【図１】本発明の実施形態１に係るパネル固定構造を適用したパソコン本体の背面側を示す斜視図。
【図２】（ａ）は、Ｉ／Ｏパネルを固定するパネル固定開口部を示す図、（ｂ）は、パネル固定開口部に固定されるＩ／Ｏパネルを示す図。
【図３】（ａ）は、Ｉ／Ｏパネルを示す側面図、（ｂ）は、Ｉ／Ｏパネルの角部を示す斜視図。
【図４】Ｉ／Ｏパネルのパネル固定開口部への固定構造を示す図であり、（ａ）は、Ｉ／Ｏパネルをパネル固定開口部へ挿入する前の状態を示す図、（ｂ）は、Ｉ／Ｏパネルをパネル固定開口部へ挿入中の状態を示す図、（ｃ）は、Ｉ／Ｏパネルをパネル固定開口部へ挿入した状態を示す図。
【図５】Ｉ／Ｏパネルをパネル固定開口部へ挿入して固定した状態を示す図。
【図６】（ａ）は、実施形態１におけるＩ／Ｏパネルの各係合突出部の先端角部付近を示す図、（ｂ）は、左上側の先端角部付近を示す拡大図。
【図７】Ｉ／Ｏパネルの各係合突出部を展開した曲げ加工前の形状を示す概略図。
【図８】（ａ）は、実施形態１におけるＩ／Ｏパネルの各係合突出部をパネル固定開口部に挿入して固定した状態を示す図、（ｂ）は、パネル固定開口部に固定された左上側の先端角部付近を示す拡大図。
【図９】（ａ）は、実施形態２におけるＩ／Ｏパネルの各係合突出部の先端角部付近を示す図、（ｂ）は、係合突出部の上側角部近傍を示す側面図。
【図１０】（ａ）は、実施形態２における係合突出部に設けた係止突起部と突起部を示す斜視図、（ｂ）は、係止突起部を示す拡大図、（ｃ）は、突起部を示す拡大図。
【図１１】実施形態２におけるＩ／Ｏパネルの係合突出部の角部近傍に設けた取っ手部付近を示す斜視図。
【図１２】実施形態２におけるＩ／Ｏパネルの各係合突出部をパネル固定開口部に挿入して固定した状態を示す図。
【図１３】（ａ）は、実施形態２におけるＩ／Ｏパネルの係合突出部に設けた係止突起部と先端係止部とでパネル固定開口部の縁部付近の両面を挟むようにして係止した状態を示す図、（ｂ）は、Ｉ／Ｏパネルの係合突出部に設けた突起部と先端係止部とでパネル固定開口部の縁部付近の両面を挟むようにして係止した状態を示す図。
【図１４】（ａ）は、係合突出部の突起部と先端係止部とでパネル固定開口部の縁部付近の両面を挟むようにして係止したＩ／Ｏパネルに外力が作用した状態を示す図、（ｂ）は、係合突出部の係止突起部と先端係止部とでパネル固定開口部の縁部付近の両面を挟むようにして係止したＩ／Ｏパネルに外力が作用した状態を示す図。
【図１５】（ａ）、（ｂ）は、実施形態２におけるＩ／Ｏパネルに設けた取っ手部に力を作用させて、Ｉ／Ｏパネルをパネル固定開口部から取り出すときの状況を示す図。
【図１６】実施形態３におけるＩ／Ｏパネルの係合突出部の角部近傍に設けた工具挿入溝部付近を示す斜視図。
【図１７】実施形態３におけるＩ／Ｏパネルに設けた工具挿入溝部に差し込んだ工具に力を作用させて、Ｉ／Ｏパネルをパネル固定開口部から取り出すときの状況を示す図。
【図１８】（ａ）は、実施形態４におけるＩ／Ｏパネルの各係合突出部の先端角部付近を示す図、（ｂ）は、実施形態４におけるＩ／Ｏパネルの各係合突出部をパネル固定開口部に挿入して固定した状態を示す図。
【図１９】従来例におけるＩ／Ｏパネルの角部近傍を示す斜視図。
【図２０】（ａ）は、従来例におけるＩ／Ｏパネルをパネル固定開口部へ挿入中の状態を示す図、（ｂ）は、Ｉ／Ｏパネルをパネル固定開口部へ挿入した状態を示す図。
【図２１】（ａ）は、従来例におけるＩ／Ｏパネルの隣接する各係合突出部の先端角部付近を示す図、（ｂ）は、パネル固定開口部に固定された左上側の先端角部付近を示す拡大図。
【発明を実施するための形態】
【００２８】
以下、本発明を図示の実施形態に基づいて説明する。
〈実施形態１〉
図１は、本発明のパネル固定構造を適用した情報処理装置としてのパソコンのパソコン本体の背面側を示す斜視図である。
【００２９】
図１に示す本実施形態では、パソコン本体１の筐体（以下、「パソコン筐体」という）２の筐体背面板２ａに形成された長方形状のパネル固定開口部３（図２ａ参照）に、該パネル固定開口部３の縁部近傍に係合されるようにして金属製のパネル板としてのＩ／Ｏパネル４が着脱可能に固定される（Ｉ／Ｏパネル４のパネル固定開口部３への固定構造については後述する）。
【００３０】
図２（ａ）に示すように、長方形状に形成されたパネル固定開口部３の奥側には、外部機器（不図示）等とパソコン筐体２内の回路基板（不図示）等が電気的に接続される複数の入出力（Ｉ／Ｏ）コネクタ５が位置している。Ｉ／Ｏパネル４は入出力コネクタ５を電気的にシールドするために、各入出力コネクタ５の周囲を覆うようにしてパネル固定開口部３に固定される。
【００３１】
また、図２（ｂ）に示すように、Ｉ／Ｏパネル４には、前記各入出力コネクタ５の位置、形状に合わせて複数のコネクタ開口部４ａが形成されたパネル面４ｂと、前記パネル固定開口部３の各内壁面に係合される、パネル面４ｂの長辺側と短辺側の各縁部から挿入方向側（図２（ｂ）では、紙面に対して手前方向側）へ突出するように形成されたばね性を有する長辺側の一対の係合突出部４ｃ及び短辺側の一対の係合突出部４ｄが設けられている。なお、図２（ｂ）に示したＩ／Ｏパネル４の挿入方向側のパネル面４ｂは、Ｉ／Ｏパネル４をパネル固定開口部３に挿入して固定したときに筐体背面２ａの外面側（パソコン筐体２内と反対側）に面している。
【００３２】
図３（ａ），（ｂ）に示すように、Ｉ／Ｏパネル４の各係合突出部４ｃ，４ｄ（図３（ａ）では長辺側の一対の係合突出部４ｃを示しているが、短辺側の一対の係合突出部４ｄも同様である）は、パネル面４ｂからパネル固定開口部３側への挿入方向Ｃへ延びる第１壁部４ｃ１と、第１壁部４ｃ１の先端部４ｅがアール状に略１８０度近く外側に折り曲げられて前記挿入方向側と逆方向へ延びる第２壁部４ｃ２を有し、ばね性を有するように形成されている。各係合突出部４ｃ，４ｄの第２壁部４ｃ２の先端側には、挿入方向Ｃに対して斜め外側を向くように曲げられた先端係止部４ｆが設けられている。
【００３３】
また、各係合突出部４ｃ（４ｄ）の第２壁部４ｃ２の表面には、半球状の突起部４ｇが所定間隔で複数設けられている。なお、図３（ｂ）では、パネル面４ｂのコネクタ開口部は省略している。
【００３４】
各係合突出部４ｃ，４ｄの先端部４ｅは、パネル固定開口部３へ挿入する前においてはパネル固定開口部３の各内壁面３ａの位置に略対応し、突起部４ｇは、略その厚み分だけパネル固定開口部３の各内壁面３ａよりも外側に位置している。また、先端係止部４ｆと突起部４ｇとの間の間隔ｔは、パネル固定開口部３の内壁面３ａの厚みに略対応している。
【００３５】
なお、隣接する各係合突出部４ｃ，４ｄの端部（角部）は、この端部の間に所定幅の隙間が形成されるように所定形状に切り取り加工されている（本発明の特徴である隣接する各係合突出部４ｃ，４ｄの端部（角部）の形状の詳細については後述する）。
【００３６】
次に、図４（ａ），（ｂ），（ｃ）を参照して、本実施形態におけるＩ／Ｏパネル４のパネル固定開口部３への固定構造について説明する。
【００３７】
図４（ａ），（ｂ）に示すように、Ｉ／Ｏパネル４のパネル面４ｂの各縁部に設けたばね性を有する突起した各係合突出部４ｃ（図４（ａ）では長辺側の一対の係合突出部４ｃを示しているが、短辺側の一対の係合突出部４ｄも同様である）を筐体背面板２ａのパネル固定開口部３に挿入すると、外面側の半球状の突起部４ｇが内壁面３ａに摺接することで一対の係合突出部４ｃがパネル固定開口部３の内側方向（パネル固定開口部３の内壁面３ａから離間する方向）に撓む。
【００３８】
そして、図４（ｃ）に示すように、突起部４ｇがパネル固定開口部３の反対側縁部まで挿入されると、撓んでいた係合突出部４ｃが復元して内壁面３ａに係合し、更に先端係止部４ｆが筐体背面２ａに係止される。これにより、係合突出部４ｃ（４ｄ）の突起部４ｇと先端係止部４ｆ間にパネル固定開口部３の縁部付近の両面が挟み込まれることによって、Ｉ／Ｏパネル４がパネル固定開口部３に固定される。
【００３９】
図５は、Ｉ／Ｏパネル４がパネル固定開口部３に固定された筐体背面板２ａの外面側（パソコン筐体２内と反対側）を示しており、このＩ／Ｏパネル４が固定された筐体背面板２ａは、パソコン筐体２の背面にリベット、スポット溶接及びねじ留め等により固定される。
【００４０】
なお、固定されたＩ／Ｏパネル４をパネル固定開口部３から取り外す場合は、例えば、各係合突出部４ｃ，４ｄに対してパネル固定開口部３の内側方向に力を作用させることで撓ませて、突起部４ｇの内壁面縁部との係合状態を解除する。そして、各係合突出部４ｃ，４ｄを挿入方向と逆方向へ押し戻すことにより、Ｉ／Ｏパネル４をパネル固定開口部３から取り外すことができる。
【００４１】
次に、隣接する各係合突出部４ｃ，４ｄの端部の形状について説明する。
【００４２】
図５に示したように、各係合突出部４ｃ，４ｄを撓ませながらパネル固定開口部３に挿入してＩ／Ｏパネル４をパネル固定開口部３に固定するときに、各先端角部４ｈ，４ｉの角同士が干渉（接触）しないようにして、係合突出部４ｃ，４ｄの各先端角部４ｈ，４ｉを安定して接触させる必要がある。
【００４３】
そこで、本実施形態では、図６（ａ），（ｂ）に示すように、Ｉ／Ｏパネル４の４箇所の角部でそれぞれ隣接する係合突出部４ｃ，４ｄの各先端角部４ｈ，４ｉの一方側を短くして、各係合突出部４ｃ，４ｄの端部の最大撓み量が、角部の中間に引いた中間線Ａに対して異なるように設定している。詳細には、図６（ａ）に示したように、左上角部と右下角部では、係合突出部４ｃ側の先端角部４ｈの方を短くして、角部の中間に引いた中間線Ａに対して左右非対称となるように設定し、左下角部と右上角部では、係合突出部４ｄ側の先端角部４ｉの方を短くして、角部の中間に引いた中間線Ａに対して左右非対称となるように設定している。
【００４４】
なお、図６（ｂ）は、左上角部で隣接する係合突出部４ｃ，４ｄの各先端角部４ｈ，４ｉを示している。また、図６（ａ）では、パネル面４ｂのコネクタ開口部は省略している。
【００４５】
図７は、Ｉ／Ｏパネル４の各係合突出部４ｃ，４ｄを展開した曲げ加工前の形状を示す図である。なお、図７は、左上角部で隣接する係合突出部４ｃ，４ｄの各先端角部４ｈ，４ｉの曲げ加工前の形状を示している。
【００４６】
図７に示した左上角部の曲げ加工前においては、先端角部４ｈ側の寸法Ａを先端角部４ｉ側の寸法Ｂよりも短く（Ｂ＞Ａ）なるように設定している。これにより、図６（ｂ）に示したように、曲げ加工後の左上角部の角部では、先端角部４ｈの方が先端角部４ｉ側よりも短く形成されて、各先端角部４ｈ，４ｉの角同士が干渉（接触）しないように設定される。
【００４７】
なお、同様に、左下角部の曲げ加工前においては、逆に先端角部４ｉ側の寸法Ｂを先端角部４ｈ側の寸法Ａよりも短く（Ａ＞Ｂ）なるように設定される。これにより、曲げ加工後の左下角部の角部では、先端角部４ｉの方が先端角部４ｈ側よりも短く形成されて、各先端角部４ｈ，４ｉの角同士が干渉（接触）しないように設定される。
【００４８】
よって、図８（ａ），（ｂ）に示すように、前記したようにＩ／Ｏパネル４の各係合突出部４ｃ，４ｄをパネル固定開口部３の内側方向へ撓ませながらパネル固定開口部３へ挿入して係合したときに、パネル固定開口部３の４箇所の内壁面角部にそれぞれ係合する先端角部４ｈ，４ｉの短く形成されている一方側に隙間が形成される。なお、図８（ａ）では、パネル面４ｂのコネクタ開口部は省略している。また、図８（ｂ）は、パネル固定開口部３の左上部側の内壁面角部に係合された先端角部４ｈ，４ｉを示している。
【００４９】
これにより、各係合突出部４ｃ，４ｄをパネル固定開口部３へ挿入するときに、突起部４ｇが内壁面３ａに摺接して各係合突出部４ｃ，４ｄがパネル固定開口部３の内側方向へ撓む。この際、係合突出部４ｃ，４ｄの各先端角部４ｈ，４ｉが最大量だけ撓んだ場合に、角部の中間に引いた中間線Ａに対して左右非対称となるように先端角部４ｈ，４ｉの一方側が短く形成されているので（図６（ａ）参照）、各先端角部４ｈ，４ｉの角同士が干渉（接触）することはない。
【００５０】
このため、Ｉ／Ｏパネル４の各係合突出部４ｃ，４ｄの先端角部４ｈ，４ｉに製造時の寸法ばらつき等があっても、各係合突出部４ｃ，４ｄを撓ませながらパネル固定開口部３へ挿入して係合するときに、各先端角部４ｈ，４ｉがその角同士が干渉することがなく安定して接触する。これにより、各係合突出部４ｃ，４ｄをパネル開口部３の所定位置まで良好に挿入することができるので、Ｉ／Ｏパネル４をパネル固定開口部３に確実に固定することができる。
【００５１】
なお、前記実施形態では、Ｉ／Ｏパネル４の４箇所の角部でそれぞれ隣接する係合突出部４ｃ，４ｄの各先端角部４ｈ，４ｉの一方側を短くして、両者の角部の中間に引いた中間線Ａに対して左右非対称となるように形成したが、Ｉ／Ｏパネル４の４箇所の角部のうちのいずれか選択した２箇所あるいは３箇所でそれぞれ隣接する係合突出部４ｃ，４ｄの各先端角部４ｈ，４ｉの一方側を短くして、両者の角部の中間に引いた中間線Ａに対して左右非対称となるように形成してもよい。
【００５２】
この場合においても、前記同様にＩ／Ｏパネル４の各係合突出部４ｃ，４ｄの先端角部４ｈ，４ｉに製造時の寸法ばらつき等があっても、各係合突出部４ｃ，４ｄを撓ませながらパネル固定開口部３へ挿入して係合するときに、各先端角部４ｈ，４ｉがその角同士が干渉することがなく安定して接触する。
【００５３】
〈実施形態２〉
本実施形態では、特にＩ／Ｏパネルが固定されるパネル固定開口部の大きさが大きい場合におけるパネル固定構造について説明する。なお、実施形態１と同一機能を部材には同一符号を付し、重複する説明は省略する。
【００５４】
図９（ａ）は、本実施形態におけるＩ／Ｏパネル４の各係合突出部４ｃ，４ｄを示す概略平面図である。なお、図９（ａ）では、パネル面４ｂのコネクタ開口部は省略している。
【００５５】
図９（ａ）に示すように、本実施形態では、Ｉ／Ｏパネル４の左右上側の角部では、係合突出部４ｃ，４ｄの各先端角部４ｈ，４ｉを短く同じ寸法に形成して、角部の中間に引いた中間線Ａに対して左右対称となるように設定している。これにより、左右上側の角部では、各先端角部４ｈ，４ｉの最大撓み量が、角部の中間に引いた中間線Ａに対して同じになるように設定される。よって、左右上側の角部での各先端角部４ｈ，４ｉによる撓み量を大きく設定することができるので、この係合突出部４ｃ，４ｄをパネル固定開口部３へ容易に挿入することができる。
【００５６】
また、Ｉ／Ｏパネル４の左右下側の角部では、係合突出部４ｃ側の先端角部４ｈの方を短くして、角部の中間に引いた中間線Ａに対して左右非対称となるように設定している。これにより、左右下側の角部では、各先端角部４ｈ，４ｉの最大撓み量が、角部の中間に引いた中間線Ａに対して異なるように設定される。
【００５７】
また、本実施形態では、図９（ａ），（ｂ）に示すように、左右上側で隣接する各係合突出部４ｃ，４ｄの角部近傍側には、係止突起部４ｊが設けられている。各係合突出部４ｃ，４ｄの他の所定箇所には、半球状の前記突起部４ｇが複数設けられている。
【００５８】
係止突起部４ｊは、図９（ｂ）、図１０（ａ），（ｂ）に示すように、半円筒状部４ｊ１の一端側に半球形状部を１／２にした１／４半球形状部４ｊ２が一体に形成された形状となっている。係止突起部４ｊの半円筒状部４ｊ１の半円端面４ｊ３が先端係止部４ｆ側に面している。突起部４ｇは、図１０（ａ），（ｃ）に示すように、半球状に形成された形状である。なお、係止突起部４ｊの形状としては、前記半円筒状部４ｊ１をなくして全体を１／４半球形状部４ｊ２のみとしてもよい。この場合は、１／４半球形状部４ｊ２の端面が前記半円端面４ｊ３となる。
【００５９】
更に、本実施形態では、図９（ａ），（ｂ）、図１１に示すように、一方側（図１１では左上側）の係合突出部４ｃの係止突起部４ｊを設けた両側の角部近傍に、Ｉ／Ｏパネル挿入側に位置するようにして取っ手部６を設けている。
【００６０】
そして、図１２に示すように、実施形態１と同様にＩ／Ｏパネル４の各係合突出部４ｃ，４ｄをパネル固定開口部３に挿入すると、係止突起部４ｊの１／４半球形状部４ｊ２及び半球状の突起部４ｇ（図１０（ｂ），（ｃ）参照）がパネル固定開口部３の内壁面に摺接することで、各係合突出部４ｃ，４ｄがパネル固定開口部３の内側方向へ撓む。そして、係止突起部４ｊの半円端面４ｊ３及び突起部４ｇがパネル固定開口部３の反対側縁部まで挿入されると、撓んでいた各係合突出部４ｃ，４ｄが復元してパネル固定開口部３の内壁面に係合し、更に先端係止部４ｆが筐体背面２ａに係止される。
【００６１】
これにより、左右上側で隣接する各係合突出部４ｃ，４ｄの角部近傍では、図１３（ａ）に示すように、係止突起部４ｊの半円端面４ｊ３と先端係止部４ｆ間にパネル固定開口部３の縁部付近の両面が挟み込まれ、更に、各係合突出部４ｃ，４ｄの他の領域では、図１３（ｂ）に示すように、突起部４ｇの縁部と先端係止部４ｆ間にパネル固定開口部３の縁部付近の両面が挟み込まれる。これにより、Ｉ／Ｏパネル４がパネル固定開口部３に固定される。
【００６２】
ところで、図９（ａ）に示したように、左右上側で隣接する係合突出部４ｃ，４ｄの角部に設けた各先端角部４ｈ，４ｉ間の隙間がより大きく設定されている場合、この左右上側で隣接する係合突出部４ｃ，４ｄの各先端角部４ｈ，４ｉ側がパネル固定開口部３の内側方向へ撓み易くなる。
【００６３】
このため、仮に左右上側で隣接する係合突出部４ｃ，４ｄの角部近傍側に半球状の突起部４ｇが設けられていると、図１４（ａ）に示すように、パネル固定開口部３に固定されたＩ／Ｏパネル４に対して何らかの取り外す方向側への外力Ｆが作用すると、半球状の突起部４ｇの縁部とパネル固定開口部３の縁部付近との間の接触面が小さいので、係合突出部４ｃのパネル固定開口部３の内側方向への撓みによって両者の係止状態が解除され易くなる。
【００６４】
これに対して本実施形態では、左右上側で隣接する係合突出部４ｃ，４ｄの角部近傍側に係止突起部４ｊを設けて、係止突起部４ｊの半円端面４ｊ３をパネル固定開口部３の縁部付近に係止しているので（図１３（ａ）参照）、係止突起部４ｊの半円端面４ｊ３とパネル固定開口部３の縁部付近との間の接触面が大きなものとなる。
【００６５】
よって、Ｉ／Ｏパネル４が固定されるパネル固定開口部３の大きさが大きい場合、図１４（ｂ）に示すように、パネル固定開口部３に固定されたＩ／Ｏパネル４に対して何らかの取り外す方向側への外力Ｆが作用しても、係止突起部４ｊの半円端面４ｊ３とパネル固定開口部３の縁部付近との間の接触面が大きいので、係合突出部４ｃがパネル固定開口部３の内側方向へ撓んでも両者の係止状態が解除され難くなる。これにより、パネル固定開口部３に固定されたＩ／Ｏパネル４に対して何らかの取り外す方向側への外力Ｆが作用した場合でも、Ｉ／Ｏパネル４がパネル固定開口部３から外れることを防止することができる。
【００６６】
ところで、パネル固定開口部３に固定されているＩ／Ｏパネル４を意図的に取り外そうとした場合、係止突起部４ｊの半円端面４ｊ３とパネル固定開口部３の縁部付近との間の接触面が大きいので、Ｉ／Ｏパネル４を容易に取り外しができない。そこで、本実施形態では、図９（ａ），（ｂ）、図１１に示したように、上側の係合突出部４ｃの各係止突起部４ｊが位置する角部付近に取っ手部６をそれぞれ設けている。
【００６７】
そして、パネル固定開口部３に固定されているＩ／Ｏパネル４を意図的に取り外す場合には、図１５（ａ）に示すように、取っ手部６の上方側からパネル固定開口部３の内側方向（図１５（ａ）の下方向）に力Ｆを加え、取っ手部６を押下げる。これにより、図１５（ｂ）に示すように、取っ手部６の押下げに伴って係合突出部４ｃがパネル固定開口部３の内側方向へ撓むことで、係止突起部４ｊの半円端面４ｊ３とパネル固定開口部３の縁部付近との間の係止状態が解除され、Ｉ／Ｏパネル４をパネル固定開口部３から容易に取り外すことができる。
【００６８】
〈実施形態３〉
実施形態２では、上側の係合突出部４ｃの各係止突起部４ｊが位置する角部付近に取っ手部６を設けた構成であったが、本実施形態では、図１６に示すように、Ｉ／Ｏパネル４上側の係合突出部４ｃの係止突起部４ｊを設けた両側の角部近傍に、Ｉ／Ｏパネル挿入側に位置するようにして工具挿入溝部４ｋを形成した構成である。
【００６９】
そして、パネル固定開口部３に固定されているＩ／Ｏパネル４を意図的に取り外す場合には、図１７に示すように、工具挿入溝部４ｋに工具（マイナスドライバー等）７を差し込む。
【００７０】
そして、工具７の先端が当接するパネル固定開口部３の縁部付近の面を支点にして、工具７を矢印Ｆ方向に動かすことにより、係合突起部４ｃがパネル固定開口部３の内側方向へ撓んで係止突起部４ｊの半円端面４ｊ３とパネル固定開口部３の縁部付近との間の係止状態が解除されるので、Ｉ／Ｏパネル４をパネル固定開口部３から容易に取り外すことができる。
【００７１】
〈実施形態４〉
図１８（ａ）は、本実施形態におけるＩ／Ｏパネル４の各係合突出部４ｃ，４ｄを示す概略平面図である。なお、図１８（ａ）では、パネル面４ｂのコネクタ開口部は省略している。
【００７２】
図１８（ａ）に示すように、本実施形態では、Ｉ／Ｏパネル４の右上側の角部では、係合突出部４ｃ，４ｄの各先端角部４ｈ，４ｉを短く同じ寸法に形成して、角部の中間に引いた中間線Ａに対して左右対称となるように設定している。これにより、右上側の角部では、各先端角部４ｈ，４ｉの最大撓み量が、角部の中間に引いた中間線Ａに対して同じになるように設定される。よって、右上側の角部での各先端角部４ｈ，４ｉによる撓み量を大きく設定することができるので、この係合突出部４ｃ，４ｄをパネル固定開口部３へ容易に挿入することができる。
【００７３】
また、Ｉ／Ｏパネル４の左上側及び右下側の角部では、係合突出部４ｃ側の先端角部４ｈの方を短くして、角部の中間に引いた中間線Ａに対して左右非対称となるように設定している。これにより、左上側及び右下側の角部では、各先端角部４ｈ，４ｉの最大撓み量が、角部の中間に引いた中間線Ａに対して異なるように設定される。
【００７４】
また、Ｉ／Ｏパネル４の左下側の角部では、係合突出部４ｄ側の先端角部４ｉの方を短くして、角部の中間に引いた中間線Ａに対して左右非対称となるように設定している。これにより、左下側の角部では、各先端角部４ｈ，４ｉの最大撓み量が、角部の中間に引いた中間線Ａに対して異なるように設定される。
【００７５】
更に、本実施形態では、図１８（ａ）に示したように、右上側で隣接する各係合突出部４ｃ，４ｄの角部近傍側には、前記係止突起部４ｊ（図９（ｂ）、図１０（ａ）参照）が設けられている。各係合突出部４ｃ，４ｄの他の角部近傍等には、半球状の前記突起部４ｇ（（図１０（ａ）参照）が複数設けられている。
【００７６】
また、図１８（ａ）に示したように、上側の係合突出部４ｃの係止突起部４ｊを設けた角部近傍に、Ｉ／Ｏパネル挿入側に位置するようにして取っ手部６を設けている。
【００７７】
そして、図１８（ｂ）に示すように、実施形態１と同様にＩ／Ｏパネル４の各係合突出部４ｃ，４ｄをパネル固定開口部３に挿入すると、挿入時に撓んでいた各係合突出部４ｃ，４ｄが復元してパネル固定開口部３の内壁面に係合し、更に先端係止部４ｆが筐体背面２ａに係止される。
【００７８】
これにより、右上側で隣接する各係合突出部４ｃ，４ｄの角部近傍では、図１３（ａ）に示したように、係止突起部４ｊの半円端面４ｊ３と先端係止部４ｆ間にパネル固定開口部３の縁部付近の両面が挟み込まれ、更に、各係合突出部４ｃ，４ｄの他の角部近傍等では、図１３（ｂ）に示したように、突起部４ｇの縁部と先端係止部４ｆ間にパネル固定開口部３の縁部付近の両面が挟み込まれる。これにより、Ｉ／Ｏパネル４がパネル固定開口部３に固定される。
【００７９】
そして、パネル固定開口部３に固定されているＩ／Ｏパネル４を意図的に取り外す場合には、前記同様に、上側の係合突出部４ｃの係止突起部４ｊ近傍に設けた取っ手部６に上方側から力を加え、取っ手部６を押下げることで、係止突起部４ｊの半円端面４ｊ３とパネル固定開口部３の縁部付近との間の係止状態が解除され、Ｉ／Ｏパネル４をパネル固定開口部３から容易に取り外すことができる。
【００８０】
なお、前記各実施形態１〜４のＩ／Ｏパネルは金属製であったが、Ｉ／Ｏパネルを樹脂成形によって形成してもよい。この場合、Ｉ／Ｏパネルの少なくとも一方の面に導電性処理を施しておく。
【符号の説明】
【００８１】
１        パソコン本体
２        パソコン筐体
２ａ      筐体背面板
３        パネル固定開口部
４        Ｉ／Ｏパネル（パネル板）
４ｂ      パネル面
４ｃ，４ｄ      係合突出部
４ｆ      先端係止部
４ｇ      突起部
４ｈ，４ｉ      先端角部
４ｊ      係止突起部
４ｋ      切欠き溝部
６        取っ手部
７        工具
【先行技術文献】
【特許文献】
【００８２】
【特許文献１】特開平４−２３３０１７号公報（段落［００２２］、図４）
【図１】
0005589588.tif 000002
【図２】
0005589588.tif 000003
【図３】
0005589588.tif 000004
【図４】
0005589588.tif 000005
【図５】
0005589588.tif 000006
【図７】
0005589588.tif 000007
【図８】
0005589588.tif 000008
【図９】
0005589588.tif 000009
【図１０】
0005589588.tif 000010
【図１１】
0005589588.tif 000011
【図１２】
0005589588.tif 000012
【図１３】
0005589588.tif 000013
【図１４】
0005589588.tif 000014
【図１５】
0005589588.tif 000015
【図１６】
0005589588.tif 000016
【図１７】
0005589588.tif 000017
【図１８】
0005589588.tif 000018
【図１９】
0005589588.tif 000019
【図２０】
0005589588.tif 000020
【図２１】
0005589588.tif 000021
【図６】
0005589588.tif 000022